(57)【特許請求の範囲】
【請求項１】
シンボルストローク発生装置からのシンボルストローク信号を、ヘッドアップディスプレイに与えてシンボルを表示する航空機に搭載されるヘッドアップディスプレイ装置において、前記シンボルストローク発生装置は、入力される角度θ、長さｌのストロークをＸ座標、Ｙ座標に変換する座標変換器と、この座標変換器へ入力される角度θ、長さｌを特定するためのカウンタと、これらカウンタにシンボルストロークに対応する長さｌ及び角度θを順次加えるための長さカウンタ及び角度カウンタと、前記座標変換器からのＸ軸信号、Ｙ軸信号にそれぞれストロークの始点であるオフセット値を加算する加算手段と、オフセット加算されたＸ軸信号、Ｙ軸信号をそれぞれアナログ信号に変換して出力するＤ／Ａ変換手段とを備え、前記角度θ、長さｌを特定するためのカウンタを所定値までカウント歩進してストローク描画することを特徴とする航空機に搭載されるヘッドアップディスプレイ装置。
【発明の詳細な説明】
【技術分野】
【０００１】
この発明は、航空機に搭載されるヘッドアップディスプレイ装置に関する。
【背景技術】
【０００２】
ヘッドアップディスプレイ装置は、飛行や戦闘に必要な情報を外界に重ねて表示し、パイロットのワークロードを軽減するとともに、正確な武器照準を補助するものである。外界を透視できるとともに、シンボルを表示するヘッドアップディスプレイと、このヘッドアップディスプレイにシンボルストローク信号を与えるシンボルストローク発生装置とから構成されている。この種のヘッドアップディスプレイ装置のシンボルストローク発生装置では、従来、ゲイン調整及びオフセット調整はボード上に取付けられたトリマによって行っていた。
【０００３】
また、従来のストローク発生装置では、回転しないシンボルと回転するシンボルとでストローク信号の発生機構が分離されており、回転シンボルのストローク発生機構は、回転の変換式Ｘ＝ｘｃｏｓθ−ｙｓｉｎθ、Ｙ＝ｘｓｉｎθ＋ｙｃｏｓθをアナログ回路で構成していた。
【発明の開示】
【発明が解決しようとする課題】
【０００４】
上記したように、従来のヘッドアップディスプレイ装置では、回転しないシンボルと回転するシンボルの発生機構が分離されているため回路が大規模になり、また信号がＤ／Ａ変換器、アナログ乗算器、加算器等と、多数の回路を通過するため、Ｄ／Ａ変換のグリッジや素子の伝達の遅れ等でシンボル歪が出やすくなる。そのため、高速で描画することができないという問題があった。
【０００５】
この発明は、上記問題点に着目してなされたものであって、シンボルを高速で描画し得るヘッドアップディスプレイ装置を提供することを目的としている。
【課題を解決するための手段】
【０００６】
この発明の、シンボルストローク発生装置からのシンボルストローク信号を、ヘッドアップディスプレイに与えてシンボルを表示する航空機に搭載されるヘッドアップディスプレイ装置において、前記シンボルストローク発生装置は、入力される角度θ、長さｌのストロークをＸ座標、Ｙ座標に変換する座標変換器と、この座標変換器へ入力される角度θ、長さｌを特定するためのカウンタと、これらカウンタにシンボルストロークに対応する長さｌ及び角度θを順次加えるための長さカウンタ及び角度カウンタと、前記座標変換器からのＸ軸信号、Ｙ軸信号にそれぞれストロークの始点であるオフセット値を加算する加算手段と、オフセット加算されたＸ軸信号、Ｙ軸信号をそれぞれアナログ信号に変換して出力するＤ／Ａ変換手段とを備え、前記角度θ、長さｌを特定するためのカウンタを所定値までカウント歩進してストローク描画することを特徴とする航空機に搭載されるヘッドアップディスプレイ装置である。
【発明の効果】
【０００７】
この発明によれば、ストローク信号を長さｌ及び角度θに与え、これをディジタル的に座標変換するものであるから、非回転シンボル、回転シンボルデータを同一次元で扱うことができ、回路を著しくコンパクトに構成でき、描画が高速にできるため、多くの情報を一度に表示できるようになる。歪の少ない表示ができるため、正確な情報を速く伝えることができる。描画のための計算処理を行うＣＰＵの負担を軽減することができる等の効果がある。
【発明を実施するための最良の形態】
【０００８】
以下実施の形態により、この発明をさらに詳細に説明する。図１は、この発明の一実施形態ヘッドアップディスプレイ装置のシンボルストローク発生装置の概略構成を示すブロック図である。
この実施形態シンボルストローク発生装置は、入力される角度θ、長さｌのストロークをＸ座標、Ｙ座標に変換に変換する座標変換器２１と、この座標変換器２１の入力を特定するためのカウンタ２２、２３と、これらカウンタ２２、２３にシンボルストロークに対応する長さｌ及び角度θを順次加えるためのｌ（長さ）カウンタ２４、θ（角度）カウンタ２５と、ストロークの始点のＸｓ、Ｙｓ点を指定するＸオフセット部２６、Ｙオフセット部２７と、このＸオフセット部２６のオフセット値Ｘｓと座標変換器２１からのＸ信号を加算する加算器２８と、Ｙオフセット２７のオフセット値Ｙｓと座標変換器２１のＹ信号を加算する加算器２９と、加算器２８の出力をアナログ信号に変換して、シンボルストローク信号Ｘ０を出力するＤ／Ａ変換器３０と、加算器２９の出力をアナログ信号に変換してシンボルストローク信号Ｙ０を出力するＤ／Ａ変換器３１とを備えている。
【０００９】
このシンボルストローク発生装置を用いてヘッドアップディスプレイに（０、０）を起点として、角度θの方向に長さｌの直線ストロークを描画する場合を想定する。図２に示すようなＳＲ１、ＳＲ２、．．．、ＳＲ８の如き、ストロークのいずれかを描画する場合は、描画に回転をともなわない。例えば、図２のストロークＳＲ２を描画する場合には、図１において、Ｘオフセット部２６、Ｙオフセット部２７のオフセット値Ｘｓ、Ｙｓをいずれも０とし、θカウンタ２５よりカウンタ２３にθ＝４５°を設定する。そして、ｌカウンタ２４を通してカウンタ２２にｌ＝１をカウントさせ、その後、所定値までカウント歩進してゆく。座標変換器２１では、Ｘ＝ｌｃｏｓ４５°、Ｙ＝ｌｓｉｎ４５°の変換処理を長さｌの歩進毎に行い、ストローク信号Ｘ、Ｙを出力する。加算器２８、２９では、それぞれＸオフセット部２６のＸｓ（＝０）、Ｙオフセット部２７のＹｓ（＝０）を加算し、Ｄ／Ａ変換器３０、３１でアナログ信号に変換して、ストローク信号Ｘ０  、Ｙ０をヘッドアップディスプレイに与えてストロークＳＲ２を描画する。θカウンタ２５の角度をθ＝６０°とすれば、ストロークＳＲ２から、さらに１５°だけ半時計方向に回転させたストロークを描画させることができる。またｌカウンタ２４のｌを一定にして、角度θを０°から順次、３６０°まで変化させてやれば、半径ｌの円を描くことができる。
【００１０】
このシンボルストローク発生装置において、座標変換器は入力として長さｌ、角度θを受け、ｘ、ｙに変換する機能を持ったＩＣや、ｓｉｎ、ｃｏｓテーブルを用いて複数のＩＣを組み合わせて構成してもよい。  
【図面の簡単な説明】
【００１１】
【図１】この発明の実施形態ヘッドアップディスプレイ装置のシンボルストローク発生装置の概略構成を示すブロック図である。
【図２】同ヘッドアップディスプレイ装置における直線的なストロークを説明する図である。
【符号の説明】
【００１２】
２１            座標変換器
２２、２３      カウンタ
２４            ｌカウンタ
２５            θカウンタ
２６            Ｘオフセット
２７            Ｙオフセット
２８，２９      加算器
３０，３１      Ｄ／Ａ変換器
Ｘｏ，Ｙｏ      シンボルストローク信号
【図１】
0004279797.tif 000002
【図２】
0004279797.tif 000003